(57)【要約】【課題】接続信頼性が低下することを抑制する。【解決手段】本開示におけるバッテリ端子は、バッテリポストＰに取り付けられるバッテリ端子１０であって、ポスト締付部２２と、一対の締結部４０と、締結部材６０と、を備えている。ポスト締付部２２は、バッテリポストＰの外周に配置されるように円弧状に形成されており、一対の締結部４０は、それぞれがポスト締付部２２の両端にポスト締付部２２の軸線Ａ１に対して斜め方向となるように板状に延びて形成されている。締結部材６０は、一対の締結部４０を両側から挟んで互いに近接した状態にし、ポスト締付部２２は、バッテリポストＰを締め付ける。ポスト締付部２２は、水平部２６と、逃がし凹部２８とを有している。水平部２６は、台座Ｂ１と接触するように台座Ｂ１に沿って延びて形成されており、逃がし凹部２８は、台座Ｂ１から離れるように凹んで形成されている。【選択図】図４
2020187886.tif 000002
【特許請求の範囲】
【請求項１】
バッテリポストに取り付けられるバッテリ端子であって、
ポスト締付部と、一対の締結部と、締結部材と、を備え、
前記ポスト締付部は、前記バッテリポストの下端部に設けられた台座に接触した状態で前記バッテリポストの外周に配置されるように円弧状に形成されており、
前記一対の締結部は、それぞれが前記ポスト締付部の両端に前記ポスト締付部の軸線に対して斜め方向となるように板状に延びて形成されており、
前記締結部材は、前記一対の締結部に挿通された状態で斜め下方向に向かって締め込むことにより前記一対の締結部を両側から挟んで互いに近接した状態にし、
前記ポスト締付部は、前記一対の締結部が互いに近接した状態となることによって前記バッテリポストを締め付け、
前記一対の締結部のうち下側に配置される前記締結部を下側締結部とし、前記下側締結部とは異なる前記締結部を上側締結部とするとき、
前記ポスト締付部は、水平部と、逃がし凹部とを有しており、
前記水平部は、前記ポスト締付部の下端部のうち前記下側締結部が連なる端部から前記上側締結部が連なる端部に向けて前記ポスト締付部の少なくとも半分の領域に前記台座と接触するように前記台座に沿って延びて形成されており、
前記逃がし凹部は、前記ポスト締付部の下端部のうち前記上側締結部が連なる端部側の位置に前記台座から離れるように凹んで形成されているバッテリ端子。
【請求項２】
前記ポスト締付部は、前記水平部と前記逃がし凹部との間に前記ポスト締付部を貫通する貫通孔を有している請求項１に記載のバッテリ端子。
【請求項３】
前記ポスト締付部の下端部には、前記ポスト締付部の軸線から径方向に延出する接続部が連なって形成されており、
前記貫通孔は、前記ポスト締付部の下端部において前記接続部と隣り合う位置に形成されている請求項２に記載のバッテリ端子。
【請求項４】
前記上側締結部は、前記ポスト締付部の端部において前記ポスト締付部よりも上側にずれて形成されており、
前記ポスト締付部の上端部には、前記上側締結部の上端部に連なる繋ぎ部が形成されている請求項１から請求項３のいずれか一項に記載のバッテリ端子。
【発明の詳細な説明】
【技術分野】
【０００１】
本開示は、バッテリ端子に関する。
【背景技術】
【０００２】
円錐台形のバッテリポストに固定されるバッテリ端子は、特開２０１０−３３７８３号公報（下記特許文献１）に記載のものが知られている。このバッテリ端子は、バッテリポストＰを包囲する弧状締付部と、弧状締付部の両端縁にバッテリポストの軸線に対して斜め方向となる形態に設けられた一対の板状突出部とを備えている。一対の板状突出部には、バッテリポストの軸線に対して斜め方向となるようにボルトが斜め下から斜め上に向かって挿通されている。弧状締付部は、ナットをボルトに対して斜め上から斜め下に向かって締め込んで一対の板状突出部を近接させることにより、バッテリポストの外周に固定される。
【先行技術文献】
【特許文献】
【０００３】
【特許文献１】特開２０１０−３３７８３号公報
【発明の概要】
【発明が解決しようとする課題】
【０００４】
ところで、この種のバッテリ端子は、バッテリポストの台座に弧状締付部の下端部を接触させることによって弧状締付部をバッテリポストに対して位置決めし、弧状締付部をバッテリポストの正規の位置に固定する場合がある。
【０００５】
ところが、上記のバッテリ端子は、弧状締付部の下端部を台座に接触させた状態でナットをボルトに対して斜め上から斜め下に向かって締め込むと、弧状締付部の下端部が台座に接触しているため、斜め上側に配置された上側板状突出部が斜め下に向かって移動できず、斜め下側に配置された下側板状突出部が斜め上方に向かって移動する。すると、弧状締結部全体が台座部から浮き上がった状態となってバッテリ端子が正規の取付位置からずれて固定されてしまう。そのため、バッテリポストに対する弧状締結部の締付力が低下し、バッテリポストに対するバッテリ端子の接続信頼性が低下してしまう。
【０００６】
本明細書では、接続信頼性が低下することを抑制する技術を開示する。
【課題を解決するための手段】
【０００７】
本開示のバッテリ端子は、バッテリポストに取り付けられるバッテリ端子であって、ポスト締付部と、一対の締結部と、締結部材と、を備え、前記ポスト締付部は、前記バッテリポストの下端部に設けられた台座に接触した状態で前記バッテリポストの外周に配置されるように円弧状に形成されており、前記一対の締結部は、それぞれが前記ポスト締付部の両端に前記ポスト締付部の軸線に対して斜め方向となるように板状に延びて形成されており、前記締結部材は、前記一対の締結部に挿通された状態で斜め下方向に向かって締め込むことにより前記一対の締結部を両側から挟んで互いに近接した状態にし、前記ポスト締付部は、前記一対の締結部が互いに近接した状態となることによって前記バッテリポストを締め付け、前記一対の締結部のうち下側に配置される前記締結部を下側締結部とし、前記下側締結部とは異なる前記締結部を上側締結部とするとき、前記ポスト締付部は、水平部と、逃がし凹部とを有しており、前記水平部は、前記ポスト締付部の下端部のうち前記下側締結部が連なる端部から前記上側締結部が連なる端部に向けて前記ポスト締付部の少なくとも半分の領域に前記台座と接触するように前記台座に沿って延びて形成されており、前記逃がし凹部は、前記ポスト締付部の下端部のうち前記上側締結部が連なる端部側の位置に前記台座から離れるように凹んで形成されている。
【発明の効果】
【０００８】
本開示によれば、接続信頼性が低下することを抑制できる。
【図面の簡単な説明】
【０００９】
【図１】図１は、実施形態に係るバッテリ端子をバッテリポストに組み付けた状態を示す斜視図である。
【図２】図２は、バッテリ端子の分解斜視図である。
【図３】図３は、バッテリ端子をバッテリポストに組み付けた状態を示す平面図である。
【図４】図４は、バッテリ端子をバッテリポストに組み付けた状態を示す正面図である。
【図５】図５は、バッテリ端子をバッテリポストに組み付けた状態を示す側面図である。
【図６】図６は、バッテリ端子をバッテリポストに組み付けた状態を示す背面図である。
【図７】図７は、バッテリ端子をバッテリポストに固定した状態を示す正面図である。
【図８】図８は、バッテリ端子をバッテリポストに固定した状態を示す側面図である。
【図９】図９は、従来のバッテリ端子をバッテリポストに固定した状態を示す側面図である。
【発明を実施するための形態】
【００１０】
［本開示の実施形態の説明］
最初に本開示の実施形態を列挙して説明する。
【００１１】
（１）バッテリポストに取り付けられるバッテリ端子であって、ポスト締付部と、一対の締結部と、締結部材と、を備え、前記ポスト締付部は、前記バッテリポストの下端部に設けられた台座に接触した状態で前記バッテリポストの外周に配置されるように円弧状に形成されており、前記一対の締結部は、それぞれが前記ポスト締付部の両端に前記ポスト締付部の軸線に対して斜め方向となるように板状に延びて形成されており、前記締結部材は、前記一対の締結部に挿通された状態で斜め下方向に向かって締め込むことにより前記一対の締結部を両側から挟んで互いに近接した状態にし、前記ポスト締付部は、前記一対の締結部が互いに近接した状態となることによって前記バッテリポストを締め付け、前記一対の締結部のうち下側に配置される前記締結部を下側締結部とし、前記下側締結部とは異なる前記締結部を上側締結部とするとき、前記ポスト締付部は、水平部と、逃がし凹部とを有しており、前記水平部は、前記ポスト締付部の下端部のうち前記下側締結部が連なる端部から前記上側締結部が連なる端部に向けて前記ポスト締付部の少なくとも半分の領域に前記台座と接触するように前記台座に沿って延びて形成されており、前記逃がし凹部は、前記ポスト締付部の下端部のうち前記上側締結部が連なる端部側の位置に前記台座から離れるように凹んで形成されている。
【００１２】
ここで、水平部およびポスト締付部が台座と接触するとは、水平部およびポスト締付部と台座とが接触した状態と、水平部およびポスト締付部と台座とが接触しない場合でも、実質的に接触しているとみなしうる場合を含む。
【００１３】
ポスト締付部の下端部において上側締結部が連なる端部側の位置に逃がし凹部が形成されているから、締結部材を締め込んで一対の締結部が互いに近接した状態になる際に、逃がし凹部によってポスト締付部と台座との干渉が回避される。
【００１４】
したがって、上側締結部を下側締結部に向かって移動させることができ、ポスト締付部の浮き上がり、つまりは、バッテリ端子が正規の取付位置からずれて固定されることを防ぐことができる。これにより、バッテリポストに対するポスト締付部の締付力が低下することを防ぎ、バッテリポストに対するバッテリ端子の接続信頼性が低下することを抑制できる。
【００１５】
（２）前記ポスト締付部は、前記水平部と前記逃がし凹部との間に前記ポスト締付部を貫通する貫通孔を有している。
【００１６】
逃がし凹部が設けられた部分のポスト締付部が、水平部が設けられた部分のポスト締付部に対して貫通孔を起点に変形し易くなる。したがって、一対の締結部が互いに近接した際に、上側締結部が下側締結部に向かって移動し易くなる。これにより、水平部を台座に接触した状態に維持しつつ、一対の締結部を互いに近接した状態にすることができる。この結果、バッテリポストに対するポスト締付部の締付力が低下することを防ぐことができる。つまりは、バッテリポストに対するバッテリ端子の接続信頼性が低下することを抑制できる。
【００１７】
（３）前記ポスト締付部の下端部には、前記ポスト締付部の軸線から径方向に延出する接続部が連なって形成されており、前記貫通孔は、前記ポスト締付部の下端部において前記接続部と隣り合う位置に形成されている。
【００１８】
一般に、ポスト締付部の下端部にポスト締付部の軸線から径方向に延出する接続部を形成する場合、ポスト締付部の下端部から下方に延びる延出片と、ポスト締付部において延出片と隣り合う位置に凹部を形成し、凹部の位置を起点に延出片を上方に向けて屈曲させることによって接続片を形成する。これにより、屈曲に伴う応力がポスト締付部に作用することを凹部によって分断し、ポスト締付部が変形することを回避する。
【００１９】
ここで、本構成は、接続部を形成する際の応力の作用を回避する凹部を、逃がし凹部が設けられた部分のポスト締付部を変形し易くするための貫通孔として兼用できる。つまり、ポスト締付部に対して応力を逃がす貫通孔とは別の貫通孔を形成することを回避できる。これにより、ポスト締付部の剛性が低下することを抑制できると共に、バッテリポストに対してポスト締付部が接触する面積が減少することを抑制できる。
【００２０】
（４）前記上側締結部は、前記ポスト締付部の端部において前記ポスト締付部よりも上側にずれて形成されており、前記ポスト締付部の上端部には、前記上側締結部の上端部に連なる繋ぎ部が形成されている。
【００２１】
例えば、ポスト締付部と上側締結部が連なる部分が小さい場合には、上側締結部を下側締結部に近づけようとする力が加わると、ポスト締付部と上側締結部との境界部分が屈曲して上側締結部に加わる力をポスト締付部に伝えることできなくなることが懸念される。
【００２２】
ところが、本実施形態は、繋ぎ部によってポスト締付部と上側締結部とが連なる部分が大きくなるから、締結部材を締め付けることによって上側締結部に加わる力をポスト締付部に確実に伝えることができる。これにより、バッテリポストに対するポスト締付部の締付力が低下することを防ぎ、バッテリポストに対するバッテリ端子の接続信頼性が低下することを抑制できる。
【００２３】
［本開示の実施形態の詳細］
本開示のバッテリ端子の具体例を、以下の図面を参照しつつ説明する。なお、本開示は、これらの例示に限定されるものではなく、特許請求の範囲によって示され、特許請求の範囲と均等の意味および範囲内でのすべての変更が含まれることが意図される。
【００２４】
＜実施形態＞
本開示における一実施形態について図１から図８を参照して説明する。
本実施形態のバッテリ端子１０は、バッテリ本体Ｂの上部に設けられた台座Ｂ１から上方に突出するバッテリポストＰに取り付けられるものである。
【００２５】
台座Ｂ１は、バッテリ本体Ｂから上方に突出する円盤状に形成されている。台座Ｂ１の上面は平坦とされている。バッテリポストＰは、台座Ｂ１から上方に向かうほど先細りとなる円錐台形に形成されている。
【００２６】
［バッテリ端子１０］
バッテリ端子１０は、導電性を有する金属板材を加工することによって形成されている。バッテリ端子１０は、図１および図２に示されるように、端子本体２０と、締結部材６０とを備えている。
端子本体２０は、バッテリポストＰの外周に配置可能なポスト締付部２２と、ポスト締付部２２に連なって設けられた接続部３０と、ポスト締付部２２に連なって設けられた一対の締結部４０と、を備えている。
【００２７】
［ポスト締付部２２］
ポスト締付部２２は、円弧状に形成されることにより、下方から上方に向かうほど先細りとなる円錐台形状に構成されている。ポスト締付部２２の内側には、下方からバッテリポストＰが挿入可能とされている。ポスト締付部２２は、図３に示されるように、バッテリポストＰに取り付ける前の状態では、ポスト締付部２２の内径がバッテリポストＰよりも一回り大きくなっている。これにより、バッテリポストＰに対してポスト締付部２２を上から円滑に組み付けることができるようになっている。
【００２８】
ポスト締付部２２は、ポスト締付部２２の周方向の両端部に設けられた後述する一対の締結部４０が互いに近づいた状態になると、縮径するように変形する。ポスト締付部２２が縮径変形すると、バッテリポストＰがポスト締付部２２によって締め付けられてポスト締付部２２がバッテリポストＰの外周面に密着する。これにより、バッテリ端子１０がバッテリポストＰに電気的に接続されるようになっている。
【００２９】
ポスト締付部２２の周方向中央部には、図４に示されるように、貫通凹部（「貫通孔」の一例）２４が板厚方向に貫通して形成されている。貫通凹部２４は、ポスト締付部２２の下端部から上方に向かって凹状に凹んで形成されている。
【００３０】
また、ポスト締付部２２は、図４から図６に示されるように、水平部２６と、逃がし凹部２８とを有している。
水平部２６は、ポスト締付部２２の下端部において貫通凹部２４から一対の締結部４０の一方である後述する下側締結部４１側の端部Ｔ１までの領域に形成されている。言い換えると、水平部２６は、ポスト締付部２２の下端部において下側締結部４１が連なる端部Ｔ１から一対の締結部４０のもう一方である後述する上側締結部４２に向かって周方向にポスト締付部２２の少なくとも半分の領域に形成されている。また、水平部２６は、図４に示されるように、台座Ｂ１の上面に沿うと共に、ポスト締付部２２の上下方向に延びる軸線Ａ１と直交する仮想面Ｄに沿うように形成されている。
【００３１】
したがって、水平部２６は、ポスト締付部２２をバッテリポストＰに組み付けた際に、水平部２６の全体が台座Ｂ１の上面に接触する。つまり、水平部２６がバッテリポストＰに接触することにより、バッテリポストＰに対してポスト締付部２２が正規の組み付け位置に組み付けられたことが確認できるようになっている。なお、ここで、水平部２６が台座Ｂ１と接触するとは、水平部２６と台座Ｂ１とが接触した状態と、水平部２６と台座Ｂ１とが接触しない場合でも、実質的に接触しているとみなしうる場合を含む。
【００３２】
逃がし凹部２８は、図４および図５に示されるように、ポスト締付部２２の下端部において貫通凹部２４から上側締結部４２側の端部Ｔ２までの領域に形成されている。言い換えると、逃がし凹部２８は、ポスト締付部２２の下端部において上側締結部４２が連なる端部側の位置に形成されている。
【００３３】
逃がし凹部２８は、貫通凹部２４から上側締結部４２側に向かうほど上方に向かって傾斜することによって上方に凹んで形成されている。
したがって、逃がし凹部２８は、ポスト締付部２２をバッテリポストＰに組み付けた際に、台座Ｂ１とポスト締付部２２との間に隙間を生じさせるようになっている。
【００３４】
［接続部３０］
接続部３０は、図１、図３および図４に示されるように、ポスト締付部２２の下端部に一体に連なって形成されている。
接続部３０は、貫通凹部２４と隣り合うように貫通凹部２４の位置から下側締結部４１が設けられた側の端部Ｔ１にかけてポスト締付部２２の半分の領域に形成されている。つまり、接続部３０は、ポスト締付部２２において水平部２６が設けられた領域に形成されている。接続部３０は、ポスト締付部２２から離れるように径方向に延出する板状に形成されている。また、接続部３０は、ポスト締付部２２の下端部の位置を起点に、ポスト締付部２２から下方に延びる延出片を上方に向けて屈曲させて形成されている。
【００３５】
ここで、延出片を上方に向けて屈曲させる際に、ポスト締付部２２における延出片の付け根部分には、屈曲に伴う引張り応力がポスト締付部２２に作用することが懸念される。
【００３６】
ところが、本実実施形態によると、接続部３０は、図１に示されるように、貫通凹部２４と隣り合う位置に形成されている。つまり、ポスト締付部２２から下方に延びる延出片を上方に向けて屈曲させる際に、屈曲に伴う引張り応力を貫通凹部２４によって分断できる。これにより、ポスト締付部２２に引張り応力が作用してポスト締付部２２が変形することを回避できるようになっている。
【００３７】
また、接続部３０の延出端部は、下方に屈曲して延びる圧着部３２とされている。圧着部３２は、機器から延びる図示しない電線に圧着される一対のバレル３４を有している。一対のバレル３４が、図示しない電線圧着されることによってバッテリ端子１０と機器とが電線を介して電気的に接続されるようになっている。
【００３８】
［締結部４０］
一対の締結部４０は、図２、図３、図５および図６に示されるように、ポスト締付部２２の周方向の両端に一体に連なって設けられている。一対の締結部４０は、図６に示されるように、ポスト締付部２２の上下方向に延びる軸線Ａ１に対して斜め方向となるように斜め上から斜め下に向かって延びる矩形の平板状に形成されている。
【００３９】
一対の締結部４０には、図２に示されるように、後述する締結部材６０のボルト６１の軸部６２が挿通される挿通孔４４が形成されている。挿通孔４４は、それぞれの締結部４０を板厚方向に貫通して形成されている。一対の締結部４０におけるそれぞれの挿通孔４４は、同軸となるように配置されている。
【００４０】
一対の締結部４０のうちの下方に配置される締結部４０は下側締結部４１とされている。下側締結部４１は、図６に示されるように、ポスト締付部２２の一方の端部Ｔ１において斜め下方向に延びるようにやや下方にずれて配置されている。下側締結部４１の上縁および下縁には、斜め下方に向かって突出する一対の板状の回り止め部４１Ａが形成されている。
【００４１】
一対の締結部４０のうちの下側締結部４１と異なる締結部４０は、上側に配置される上側締結部４２とされている。上側締結部４２は、図２および図５に示されるように、ポスト締付部２２のもう一方の端部Ｔ２において斜め上方向に延びるようにやや上方にずれて配置されている。
【００４２】
上側締結部４２の下縁には、斜め上方に向かって突出する板状の回り止め部４２Ａが形成されている。
また、ポスト締付部２２の端部Ｔ２には、ポスト締付部２２の上端部と上側締結部４２の上端部とを傾斜して繋ぐ繋ぎ部４５が形成されている。
【００４３】
つまり、繋ぎ部４５によってポスト締付部２２と上側締結部４２とが連なる部分が大きくなるから、ポスト締付部２２の上下方向の長さ寸法と上側締結部４２の上下方向の長さ寸法との間には大きな寸法差が生じないようになっている。
【００４４】
［締結部材６０］
締結部材６０は、図２に示されるように、金属製のボルト６１と、金属製のワッシャ６５と、金属製のナット７１とを備えている。
ボルト６１は、外周に雄ねじが形成された軸部６２と、軸部６２の一端部に角形に設けられた頭部６４とを有する一般的なボルトとされている。頭部６４は、下側締結部４１の一対の回り止め部４１Ａの間に配置可能な大きさとされている。頭部６４は、一対の回り止め部４１Ａの間に配置されると、図６に示されるように、一対の回り止め部４１Ａと接触することにより、回転が規制されるようになっている。軸部６２は、一対の締結部４０のそれぞれの挿通孔４４に対して下方から連続して挿通されている。軸部６２の先端は、一対の締結部４０を下方から貫通した後、斜め上方向に向けて延びた状態となっている。
【００４５】
ワッシャ６５は、図２に示されるように、矩形の板状に形成されている。ワッシャ６５は、ボルト６１の軸部６２が挿通されるワッシャ孔６６を有している。ワッシャ孔６６は、ワッシャ６５を板厚方向に貫通して形成されている。ワッシャ６５は、一対の締結部４０に挿通された軸部６２がワッシャ孔６６に挿通させることによって上側締結部４２の上面に組み付けられる。ワッシャ６５は、上側締結部４２に組み付けられると、ワッシャ６５と回り止め部４２Ａとが接触して、図８に示されるように、ワッシャ６５の回転が規制されるようになっている。
【００４６】
ナット７１は、図２に示されるように、外形が６角状の一般的なナットとされている。ナット７１の内側には、ボルト６１の軸部６２が螺合される雌ねじを有する締結孔７２が形成されている。ナット７１は、一対の締結部４０とワッシャ６５とに挿通された軸部６２に対して下方に向けて螺合可能とされている。ナット７１が軸部６２に対して締め込まれて螺合されると、ボルト６１の頭部６４とナット７１とによって一対の締結部４０を軸部６２の延び方向に挟持する。これにより、図７および図８に示されるように、一対の締結部４０が互いに近づいた状態となってポスト締付部２２がバッテリポストＰを締め付け、バッテリ端子１０がバッテリポストＰに電気的に接続された状態で固定される。
【００４７】
ここで、例えば、図９に示される従来のバッテリ端子１は、ポスト締付部２に逃がし凹部が形成されておらず、下側締結部３の位置から上側締結部４の位置までポスト締付部２の高さ寸法が同一となっている。このようなバッテリ端子１の場合、ボルト５の軸部６に対してナット７を斜め下方向に向かって締め込むと、ポスト締付部２における上側締結部４側の端部２Ａが台座Ｂ１と干渉してしまう。すると、上側締結部４を下側締結部３に対して近づけることができず、下側締結部３が上側締結部４に向かって引き寄せられる。したがって、図９に示されるように、ポスト締付部２全体が台座Ｂ１から浮き上がった位置に位置ずれしてしまい、バッテリポストＰに対するポスト締付部２の締付力が低下してしまう。このため、バッテリポストＰに対するバッテリ端子１の接続信頼性が低下してしまうことが懸念される。
【００４８】
ところが、本実施形態によると、ポスト締付部２２の下端部において上側締結部４２が連なる端部Ｔ２側の位置には、図４および図５に示されるように、台座Ｂ１から離れるように凹状に凹んだ逃がし凹部２８が形成されている。
【００４９】
したがって、ボルト６１の軸部６２に対してナット７１を斜め下方向に向かって締め込んで上側締結部４２が下側締結部４１に向かって近づく場合でも、図７および図８に示されるように、ポスト締付部２２における上側締結部４２側の端部Ｔ２が台座Ｂ１と干渉することを回避できる。
【００５０】
つまり、ポスト締付部２２の下端部において下側締結部４１が連なる端部Ｔ１に設けられた水平部２６を台座Ｂ１に接触した状態に維持しつつ、一対の締結部４０を互いに近づいた状態できる。すなわち、ポスト締付部２２が位置ずれせずにバッテリポストＰを締め付けるから、バッテリポストＰに対するポスト締付部２２の締付力が低下することを防ぐことができる。つまりは、バッテリポストＰに対するバッテリ端子１０の接続信頼性の低下を防ぐことができる。
【００５１】
以上のように、本実施形態は、バッテリポストＰに取り付けられるバッテリ端子１０であって、ポスト締付部２２と、一対の締結部４０と、締結部材６０と、を備えている。ポスト締付部２２は、バッテリポストＰの下端部に設けられた台座Ｂ１に接触した状態でバッテリポストＰの外周に配置されるように円弧状に形成されており、一対の締結部４０は、それぞれがポスト締付部２２の両端にポスト締付部２２の軸線Ａ１に対して斜め方向となるように板状に延びて形成されている。締結部材６０は、一対の締結部４０に挿通された状態で斜め下方向に向かって締め込むことにより一対の締結部４０を両側から挟んで互いに近接した状態にし、ポスト締付部２２は、一対の締結部４０が互いに近接した状態となることによってバッテリポストＰを締め付ける。一対の締結部４０のうち下側に配置される締結部４０を下側締結部４１とし、下側締結部４１とは異なる締結部４０を上側締結部４２とするとき、ポスト締付部２２は、水平部２６と、逃がし凹部２８とを有している。水平部２６は、ポスト締付部２２の下端部において下側締結部４１が連なる端部Ｔ１から上側締結部４２が連なる端部Ｔ２に向けてポスト締付部２２の少なくとも半分の領域に台座Ｂ１と接触するように台座Ｂ１に沿って延びて形成されており、逃がし凹部２８は、図４および図５に示されるように、ポスト締付部２２の下端部において上側締結部４２が連なる端部Ｔ２側の位置に台座Ｂ１から離れるように凹んで形成されている。
【００５２】
ポスト締付部２２の下端部において上側締結部４２が連なる端部Ｔ２側の位置に逃がし凹部２８が形成されているから、締結部材６０を締め込んで一対の締結部４０が互いに近接した状態になる際に、逃がし凹部２８によってポスト締付部２２と台座Ｂ１との干渉が回避される。したがって、上側締結部４２を下側締結部４１に向かって移動させることができ、ポスト締付部２２の浮き上がり、つまりは、バッテリ端子１０が正規の取付位置からずれて固定されることを防ぐことができる。これにより、バッテリポストＰに対するポスト締付部２２の締付力が低下することを防ぎ、バッテリポストＰに対するバッテリ端子１０の接続信頼性が低下することを抑制できる。
【００５３】
また、ポスト締付部２２は、図４に示されるように、水平部２６と逃がし凹部２８との間にポスト締付部２２を貫通する貫通凹部（貫通孔）２４を有している。つまり、逃がし凹部２８が設けられた部分のポスト締付部２２が、水平部２６が設けられた部分のポスト締付部２２に対して貫通凹部２４を起点に変形し易くなる。したがって、一対の締結部４０が互いに近接した際に、上側締結部４２が下側締結部４１に向かって移動し易くなる。これにより、水平部２６を台座Ｂ１に接触した状態に維持しつつ、一対の締結部４０を互いに近接した状態にすることができる。この結果、バッテリポストＰに対するポスト締付部２２の締付力が低下することを防ぐことができる。つまりは、バッテリポストＰに対するバッテリ端子１０の接続信頼性が低下することを抑制できる。
【００５４】
ポスト締付部２２の下端部には、ポスト締付部２２の軸線Ａ１から径方向に延出する接続部３０が連なって形成されており、貫通凹部（貫通孔）２４は、図４に示されるように、ポスト締付部２２の下端部において接続部３０と隣り合う位置に形成されている。
【００５５】
一般に、ポスト締付部の下端部にポスト締付部の軸線から径方向に延出する接続部を形成する場合、ポスト締付部の下端部から下方に延びる延出片と、ポスト締付部において延出片と隣り合う位置に凹部を形成し、凹部の位置を起点に延出片を上方に向けて屈曲させることによって接続片を形成する。これにより、屈曲に伴う応力がポスト締付部に作用することを凹部によって分断し、ポスト締付部が変形することを回避する。
【００５６】
ここで、本実施形態は、接続部３０を形成する際の応力の作用を回避する貫通凹部２４を、逃がし凹部２８が設けられた部分のポスト締付部２２を変形し易くするための貫通孔として兼用できる。
【００５７】
つまり、ポスト締付部２２に対して応力を逃がす貫通凹部２４とは別の貫通孔を形成することを回避できる。これにより、ポスト締付部２２の剛性が低下することを抑制できると共に、バッテリポストＰに対してポスト締付部２２が接触する面積が減少することを抑制できる。
【００５８】
上側締結部４２は、ポスト締付部２２の端部Ｔ２においてポスト締付部２２よりも上側にずれて形成されており、ポスト締付部２２の上端部には、図２および図５に示されるように、上側締結部４２の上端部に連なる繋ぎ部４５が形成されている。
【００５９】
例えば、ポスト締付部と上側締結部とが連なる部分が小さい場合には、上側締結部を下側締結部に近づけようとする力が加わると、ポスト締付部と上側締結部との境界部分が屈曲して上側締結部に加わる力をポスト締付部に伝えることできなくなることが懸念される。
【００６０】
ところが、本実施形態は、繋ぎ部４５によってポスト締付部２２と上側締結部４２とが連なる部分が大きくなるから、締結部材６０を締め付けることによって上側締結部４２に加わる力をポスト締付部２２に確実に伝えることができる。これにより、バッテリポストＰに対するポスト締付部２２の締付力が低下することを防ぎ、バッテリポストＰに対するバッテリ端子１０の接続信頼性が低下することを抑制できる。
【００６１】
＜他の実施形態＞
本明細書で開示される技術は上記記述及び図面によって説明した実施形態に限定されるものではなく、例えば次のような種々の態様も含まれる。
【００６２】
（１）上記実施形態では、逃がし凹部２８は、貫通凹部２４から上側締結部４２側に向かうほど上方に向かって傾斜して上方に凹んだ構成にした。しかしながら、これに限らず、貫通凹部の位置から上側に向かって矩形状に凹んだ逃がし凹部を構成してもよい。
【００６３】
（２）上記実施形態では、締結部材６０においてボルト６１の軸部６２に対してナット７１を締め込む構成とした。しかしながら、これに限らず、下側締結部にナットを固定し、ナットに対してボルトを締め込む構成にしてもよい。
【００６４】
（３）上記実施形態では、ポスト締付部２２に接続部３０を連ねて形成する構成にした。しかしながら、これに限らず、接続部を一対の締結部のいずれかに連ねて形成する構成にしてもよい。
【００６５】
（４）上記実施形態では、水平部２６は、下側締結部４１側の端部Ｔ１からポスト締付部２２の周方向中央部までの領域に構成にした。しかしながら、これに限らず、水平部は、下側締結部側の端部からポスト締付部の周方向中央部を超えて構成されてもよい。
【符号の説明】
【００６６】
１：  バッテリ端子
２：  ポスト締付部
２Ａ：  ポスト締付部の端部
３：  下側締結部
４：  上側締結部
５：  ボルト
６：  軸部
７：  ナット
１０：  バッテリ端子
２０：  端子本体
２２：  ポスト締付部
２４：  貫通凹部（「貫通孔」の一例）
２６：  水平部
２８：  逃がし凹部
３０：  接続部
３２：  圧着部
３４：  バレル
４０：  締結部
４１：  下側締結部
４１Ａ：  回り止め部
４２：  上側締結部
４２Ａ：  回り止め部
４４：  挿通孔
４５：  繋ぎ部
６０：  締結部材
６１：  ボルト
６２：  軸部
６４：  頭部
６５：  ワッシャ
６６：  ワッシャ孔
７１：  ナット
７２：  締結孔
Ａ１：  軸線
Ｂ：  バッテリ本体
Ｂ１：  台座
Ｄ：  仮想面
Ｐ：  バッテリポスト
Ｔ１：  ポスト締付部の端部
Ｔ２：  ポスト締付部の端部
【図１】
2020187886.tif 000003
【図２】
2020187886.tif 000004
【図３】
2020187886.tif 000005
【図４】
2020187886.tif 000006
【図５】
2020187886.tif 000007
【図６】
2020187886.tif 000008
【図７】
2020187886.tif 000009
【図８】
2020187886.tif 000010
【図９】
2020187886.tif 000011